【手続補正書】
【提出日】平成26年12月18日(2014.12.18)
【手続補正１】
【補正対象書類名】特許請求の範囲
【補正対象項目名】全文
【補正方法】変更
【補正の内容】
【特許請求の範囲】
【請求項１】
スポーツラケットであって、
ラケットヘッド及びラケットハンドルを含むラケット本体であって、前記ラケットヘッドは、ほぼ長方形の打面形状を有し、前記ほぼ長方形の打面形状が丸み付けられた角部を含み、前記ラケットヘッドが、前記長方形の打面形状の４つの向かい合った辺に所定の配列で複数のガット装着位置を画定し、前記ラケットハンドルが、前記ラケットヘッドに固着されている、ラケット本体と、
前記ガット装着位置に装着される少なくとも１つのガットであって、前記ガットが、複数の主ガット部分及び複数の交差ガット部分を画定し、前記主ガット部分のそれぞれが、ほぼ等しい長さおよびほぼ等しい張力とされ、前記交差ガット部分のそれぞれが、ほぼ等しい長さおよびほぼ等しい張力とされる、少なくとも１つのガットとを備える、スポーツラケット。
【請求項２】
前記主ガット部分および前記交差ガット部分が、前記ラケットヘッドに張架したときにほぼ等しいガット張力のものである、請求項１に記載のスポーツラケット。
【請求項３】
前記長方形のラケットヘッドが、張架したときに前記ガット張力によって前記ラケットヘッドの辺が引かれてほぼ直線の辺になるように、外側へと湾曲した辺を有する形状で形成される、請求項１に記載のスポーツラケット。
【請求項４】
スポーツラケットであって、
ラケットヘッド及びラケットハンドルを含むラケット本体であって、前記ラケットヘッドが、ほぼ長方形の打面形状を有し、前記ほぼ長方形の打面形状が丸み付けられた角部を含み、前記パケットヘッドが、前記長方形の打面形状の４つの向かい合った辺に所定の配列で複数のガット装着位置を画定し、前記ラケットハンドルが、前記ラケットヘッドに固着されている、ラケット本体と、
前記複数のガット装着位置に装着される少なくとも１つのガットであって、前記ガットが、複数の主ガット部分及び複数の交差ガット部分を画定し、前記主ガット部分は、それぞれ、主ガット振動数がそれぞれほぼ同じである主ガット基本振動数を有し、前記交差ガット部分は、それぞれ、交差ガット振動数がそれぞれほぼ同じである交差ガット基本振動数を有する、少なくとも１つのガットとを備える、スポーツラケット。
【請求項５】
前記少なくとも１つのガットがほぼ一定のガット線密度を有し、
【数１０】
2014503337.tif 000001
および、
【数１１】
2014503337.tif 000002
であって、式中、ｔｉが主ガット部分のガット張力、ｌｉが前記主ガット部分のガット長さ、ｓｊが交差ガット部分のガット張力、ｋｊが前記交差ガット部分のガット長さである、請求項４に記載のスポーツラケット。
【請求項６】
前記少なくとも１つのガットが変動するガット線密度を有し、
【数１２】
2014503337.tif 000003
および、
【数１３】
2014503337.tif 000004
であって、式中、ｔｉが主ガット部分のガット張力、ｍｉが前記主ガット部分のガット密度、ｌｉが前記主ガット部分のガット長さ、ｓｊが交差ガット部分のガット張力、ｍ’ｊが前記交差ガット部分のガット密度、ｋｊが前記交差ガット部分のガット長さである、請求項４に記載のスポーツラケット。
【請求項７】
【数１４】
2014503337.tif 000005
である、請求項４に記載のスポーツラケット。
【請求項８】
前記ガット装着位置の少なくともいくつかに装着された、前記ガット部分を適所で保持する係止可能なグロメットをさらに備える、請求項４に記載のスポーツラケット。
【請求項９】
前記主ガット部分それぞれの一端および前記交差ガット部分それぞれの一端に、前記ガット部分を適所で保持する係止可能なグロメットをさらに備える、請求項４に記載のスポーツラケット。
【請求項１０】
前記主ガットそれぞれの各端部および前記交差ガットそれぞれの各端部に、前記ガットを適所で保持する係止可能なグロメットをさらに備える、請求項４に記載のスポーツラケット。
【請求項１１】
前記係止可能なグロメットが、前記ガット部分のうち所定のものに対する所定の張力を維持するように、前記ガット部分を前記ガット装着位置で保持する、請求項８に記載のスポーツラケット。
【請求項１２】
前記交差ガット部分の前記係止可能なグロメットが前記交差ガット部分に対する張力を維持し、それによって、
【数１５】
2014503337.tif 000006
であって、式中、ｓｊが前記交差ガット部分に対する張力、ｋｊが前記交差ガット部分の長さであり、
前記主ガット部分の前記係止可能なグロメットが前記主ガット部分に対する張力を維持し、それによって、
【数１６】
2014503337.tif 000007
であって、式中、ｔｉが前記主ガット部分に対する張力、ｌｉが前記主ガット部分の長さである、請求項１１に記載のスポーツラケット。
【請求項１３】
前記交差ガット部分の前記係止可能なグロメットが前記交差ガット部分に対する張力を維持し、それによって、
【数１７】
2014503337.tif 000008
であって、式中、ｓｊが前記交差ガット部分に対する張力、ｍ’ｊが前記交差ガット部分の質量密度、ｋｊが前記交差ガット部分の長さであり、
前記主ガット部分の前記係止可能なグロメットが前記主ガット部分に対する張力を維持し、それによって、
【数１８】
2014503337.tif 000009
であって、式中、ｔｉが前記主ガット部分に対する張力、ｍｉが前記主ガット部分の質量密度、ｌｉが前記主ガット部分の長さである、請求項１１に記載のスポーツラケット。
【請求項１４】
スポーツラケットであって、
オープンフレームを含むラケットヘッドであって、前記オープンフレームの向かい合った辺に、複数のガット穴の配列を画定し、前記ガット穴がほぼ円錐形の穴部分を含む、ラケットヘッドと、
前記ラケットヘッドに固着されたハンドルと、
前記ガット穴を通って配設され、前記オープンフレームを横切って延在してラケット打面を画定する、少なくとも１つのガットと、
前記ガット穴の一つ一つに配設された複数の係止可能なグロメットであって、前記グロメットが、前記ほぼ円錐形の穴部分に挿入されるほぼ円錐形のグロメット部分を含み、前記ほぼ円錐形の穴部分と前記ほぼ円錐形のグロメット部分と前記ガットとの間の摩擦係合によって、前記係止可能なグロメットが前記少なくとも１つのガットを張力下で係合し拘束する、係止可能なグロメットとを備える、スポーツラケット。
【請求項１５】
スポーツラケットであって、
オープンフレームを含むラケットヘッドであって、前記オープンフレームの向かい合った辺にほぼ円錐形の穴部分を含むガット穴の配列を画定し、前記ほぼ円錐形の穴部分がネジ山付きである、ラケットヘッドと、
前記ラケットヘッドに固着されたハンドルと、
前記ガット穴を通って配設され、前記オープンフレームを横切って延在してラケット打面を画定する、少なくとも１つのガットと、
前記ガット穴の一つ一つに配設された複数の係止可能なグロメットであって、前記係止可能なグロメットが、前記ネジ山付きのほぼ円錐形の穴部分に挿入されるネジ山付きのほぼ円錐形のグロメット部分を含み、前記ネジ山付きのほぼ円錐形の穴部分と前記ネジ山付きのほぼ円錐形のグロメット部分と前記ガットとの間のねじ込み係合によって、前記係止可能なグロメットが前記少なくとも１つのガットを張力下で係合し拘束する、係止可能なグロメットとを備える、スポーツラケット。
【請求項１６】
スポーツラケットであって、
オープンフレームを含むラケットヘッドであって、前記オープンフレームの向かい合った辺にほぼ円錐形の穴部分を含むガット穴の配列を画定する、ラケットヘッドと、
前記ラケットヘッドに固着されたハンドルと、
前記ガット穴を通って配設され、前記オープンフレームを横切って延在してラケット打面を画定する、少なくとも１つのガットと、
前記ガット穴の一つ一つに配設された複数の係止可能なグロメットであって、前記係止可能なグロメットが、前記ほぼ円錐形の穴部分に配設されるほぼ円筒状の棒をそれぞれ含み、前記係止可能なグロメットが、前記ほぼ円錐形の穴に停止ブロックをそれぞれ含み、前記ほぼ円筒状の棒を前記ほぼ円錐形の穴に食い込ませて、前記少なくとも１つのガットを張力下で適所に保持し、前記ほぼ円筒状の棒によって、前記グロメットを通して前記少なくとも１つのガットを引っ張って前記ガットに対する張力を増加させる一方で前記ガットが反対方向に移動するのを防止する、係止可能なグロメットとを備える、スポーツラケット。
【請求項１７】
スポーツラケットであって、
オープンフレームを含むラケットヘッドであって、前記オープンフレームの向かい合った辺にガット穴の配列を画定する、ラケットヘッドと、
前記ラケットヘッドに固着されたハンドルと、
前記ガット穴を通って配設され、前記オープンフレームを横切って延在してラケット打面を画定する、少なくとも１つのガットと、
前記ガット穴の一つ一つに配設された複数の係止可能なグロメットであって、前記係止可能なグロメットが、第１および第２の係止部分と付勢部材とを含み、前記付勢部材が、前記少なくとも１つのガットを係合するように前記第１および第２の係止部分を互いに向かって付勢して、前記少なくとも１つのガットを張力下で保持し、前記第１および第２の係止部材によって、前記ガットに対する張力を増加させる方向で前記係止部分を通して前記少なくとも１つのガットを移動させる一方で、前記ガットが反対方向に移動することを防止する、係止可能なグロメットとを備える、スポーツラケット。
【請求項１８】
スポーツラケットであって、
オープンフレームを含むラケットヘッドであって、前記オープンフレームの向かい合った辺にガット穴の配列を画定する、ラケットヘッドと、
前記ラケットヘッドに固着されたハンドルと、
前記ガット穴を通って配設され、前記オープンフレームを横切って延在してラケット打面を画定する、少なくとも１つのガットと、
前記ガット穴の一つ一つに配設された複数の係止可能なグロメットであって、前記係止可能なグロメットが、ガット通路と前記ガット通路上のネジ山付きのボア開口部と前記ネジ山付きボア内に螺合可能に係合されるネジ山付き部材とを含み、前記ネジ山付き部材が前記ガット通路内で前記少なくとも１つのガットに接して、前記少なくとも１つのガットを前記ガット通路内で固定する、係止可能なグロメットとを備える、スポーツラケット。
【請求項１９】
前記ガット通路および前記ネジ山付きボアを画定し、前記ネジ山付き部材が中に係合される外部ブロックをさらに備える、請求項１８に記載のスポーツラケット。
【請求項２０】
前記ネジ山付きボアを画定し、前記ネジ山付き部材が中に係合される前記ラケットヘッドの部分をさらに備える、請求項１８に記載のスポーツラケット。
【請求項２１】
スポーツラケットであって、
オープンフレームを含むラケットヘッドであって、前記オープンフレームの向かい合った辺にガット穴の配列を画定する、ラケットヘッドと、
前記ラケットヘッドに固着されたハンドルと、
前記ガット穴を通って配設され、前記オープンフレームを横切って延在してラケット打面を画定する、少なくとも１つのガットと、
前記ガット穴の一つ一つに配設された複数の係止可能なグロメットであって、前記係止可能なグロメットのそれぞれが、前記ガットを係合する圧縮可能な弾性ガット把持要素を含み、前記把持要素と係合されるネジ山付きの円錐を含み、前記把持要素を圧縮し、それによって前記ガットを定位置で固定するように、前記係止可能なグロメットのそれぞれが、前記ネジ山付きの円錐の上に螺合可能に係合されるネジ山付きのナットを含む、係止可能なグロメットとを備える、スポーツラケット。
【請求項２２】
スポーツラケットであって、
オープンフレームを含むラケットヘッドであって、前記オープンフレームの向かい合った辺にガット穴の配列を画定する、ラケットヘッドと、
前記ラケットヘッドに固着されたハンドルと、
前記ガット穴を通って配設され、前記オープンフレームを横切って延在してラケット打面を画定する、少なくとも１つのガットと、
前記ガット穴の一つ一つに配設された複数の係止可能なグロメットであって、前記係止可能なグロメットのそれぞれが、前記ガットを係合する圧縮可能な弾性ガット把持要素を含み、前記ガット把持要素がネジ山付きのナットの中で保持され、ネジ山付き部分が前記ガット穴に設けられ、張力下で前記ガットを前記ガット穴で保持するように前記ガット穴上に前記ネジ山付きのナットが螺合可能に係合される、係止可能なグロメットとを備える、スポーツラケット。